(57)【要約】【課題】使用状況に応じて内蔵アンテナ又は外部アンテナの一方を選択し、自由に切換を行うことができるアンテナを用いた、アンテナ設置方法を提供する。更に、この方法に用いる同軸コネクタを提供する。【解決手段】内蔵アンテナを有する無線モジュールは、同軸ケーブルを介して外部アンテナと接続可能である。同軸ケーブルと外部アンテナの接続は、同軸コネクタと検査用の同軸切換スイッチを用いて行われる。無線モジュールを筐体のいずれかの位置に設置したときに、無線モジュールに設けた内蔵アンテナが適当に機能し得ない場合は、内蔵アンテナに接続された同軸切換スイッチに、同軸ケーブルを介して、同軸コネクタを装着し、同軸ケーブルを利用して、同軸ケーブルに接続された外部アンテナを、外部アンテナが適当に機能し得る筐体のいずれかの位置に配置する。【選択図】図１
2011119174.tif 000002
【特許請求の範囲】
【請求項１】
同軸切換スイッチに装着され得る同軸コネクタにおいて、
前記同軸コネクタは、ライトアングル型のコネクタであって、
絶縁コネクタハウジングと、
前記絶縁コネクタハウジングの外部に設けられ、同軸ケーブルの外側導体に接続可能な外部コネクタ導体と、
前記絶縁コネクタハウジングに可動状態で設けられ、前記同軸ケーブルの中心導体に接続可能なコンタクトと、を有し、
前記コンタクトは略Ｌ字状であって、前記コンタクトの先端を含む第一部分と、前記第一部分に折曲部を介して接続され且つ前記第一部分に対して略直角方向に延びる第二部分とを含み、
前記コンタクトは、該コンタクトの第二部分において前記絶縁コネクタハウジングの設置部に載置され、且つ、前記コンタクトの第二部分における前記同軸ケーブルの接続側で片持ち梁状に支持されており、
前記コンタクトの先端は、前記同軸切換スイッチとの接触を通じて、前記同軸切換スイッチと前記同軸コネクタとの装着方向とは反対の方向に弾性変位され得ることを特徴とする同軸コネクタ。
【請求項２】
前記コンタクトの先端と前記同軸切換スイッチの接触を通じて前記コンタクトの先端及びその近傍が前記同軸コネクタの内部に収容される際、前記コンタクトの第一部分は、前記装着方向とは反対の方向において前記絶縁コネクタハウジングの内部に押し込まれ、
前記押し込まれた前記コンタクトの第二部分が前記絶縁コネクタハウジングと衝突することを防ぐため、前記絶縁コネクタハウジングの内部に空間が設けられている請求項１に記載の同軸コネクタ。
【請求項３】
前記空間は、前記絶縁コネクタハウジングの壁の一部に薄肉部を設けることによって形成される請求項２に記載の同軸コネクタ。
【請求項４】
前記絶縁コネクタハウジングは、
前記コンタクトが設置される本体と、
前記本体によって根元側を片側支持され、先端側を前記本体に向かって折り曲げることによって前記本体に設置された前記コンタクトの第二部分を覆う折曲部と、
を有する請求項３に記載の同軸コネクタ。
【請求項５】
前記同軸ケーブルの中心導体は、前記本体に設置された前記コンタクトの第二部分と、前記折曲部と、の間で圧接される請求項４に記載の同軸コネクタ。
【請求項６】
前記同軸ケーブルの中心導体は、前記コンタクトの第二部分のうち、前記同軸ケーブルの設置方向に対して交差する方向において幅広に形成された幅広部に設置される請求項５に記載の同軸コネクタ。
【請求項７】
前記幅広部を覆う前記外部コネクタ導体は、前記交差する方向において、切り欠かれている請求項６に記載の同軸コネクタ。
【請求項８】
前記薄肉部と、前記薄肉部よりも厚い中肉部との間に、傾斜、若しくは、段差が設けられている請求項３乃至７のいずれかに記載の同軸コネクタ。
【請求項９】
前記同軸ケーブルの中心導体は、前記折曲部の一部に設けられ、前記幅広部よりも狭く、且つ、前記幅広部との間で前記同軸ケーブルの中心導体を圧接する厚肉部よりも薄い部分によって、外部コネクタ導体と区分けられる請求項８に記載の同軸コネクタ。
【請求項１０】
前記コンタクトの先端は、前記同軸切換スイッチとの接触時に前記同軸切換スイッチをワイピングする機能を有する請求項１乃至９のいずれかに記載の同軸コネクタ。
【請求項１１】
請求項１乃至１０に記載の前記同軸切換スイッチと前記同軸コネクタを備えた同軸装置。
【請求項１２】
同軸切換スイッチに装着され得る同軸コネクタにおいて、
前記同軸コネクタは、ライトアングル型のコネクタであって、絶縁コネクタハウジングと、前記絶縁コネクタハウジングの外部に設けられた外部コネクタ導体と、前記絶縁コネクタハウジングに可動状態で設けられたコンタクトと、を有し、
前記絶縁コネクタハウジングは、前記コンタクトが設置される本体と、前記本体によって根元側を片側支持され、先端側を前記本体に向かって折り曲げられることによって前記本体に設置された前記コンタクトの第二部分を覆うことができる折曲部と、を有し、該折曲部は根元側に薄肉部を設け、先端側に厚肉部を設け、
前記外部コネクタ導体は、前記折曲部に向かって折り曲げられることによって前記折曲部の外部を覆うことができる外側折曲部を有し、
前記コンタクトは略Ｌ字状であって、前記コンタクトの先端を含む第一部分と、前記第一部分に折曲部を介して接続され且つ前記第一部分に対して略直角方向に延びる第二部分とを含み、
前記コンタクトは、該コンタクトの第二部分において前記絶縁コネクタハウジングの設置部に載置され、且つ、前記コンタクトの第二部分の端部付近で片持ち梁状に支持されており、
前記コンタクトの先端は、前記同軸切換スイッチとの接触時に、該接触を通じて、前記同軸切換スイッチと前記同軸コネクタとの装着方向とは反対の方向に弾性変位され得ることを特徴とする同軸コネクタ。
【請求項１３】
内蔵アンテナを有する無線モジュールを用いたアンテナ設置方法において、
前記無線モジュールは、同軸ケーブルを介して外部アンテナと接続可能であって、前記同軸ケーブルと前記外部アンテナの接続は、同軸コネクタと同軸切換スイッチを用いて行われるものであり、
前記同軸コネクタは、ライトアングル型のコネクタであって、
絶縁コネクタハウジングと、
前記絶縁コネクタハウジングの外部に設けられ、前記同軸ケーブルの外側導体に接続可能な外部コネクタ導体と、
前記絶縁コネクタハウジングに可動状態で設けられ、前記同軸ケーブルの中心導体に接続可能なコンタクトと、を有し、
前記コンタクトの先端及びその近傍は、前記同軸切換スイッチに前記同軸コネクタが装着される前は、前記絶縁コネクタハウジングの外部に突出した状態とされており、
前記同軸切換スイッチは、
前記同軸コネクタのコンタクトを受け入れることができる挿通孔を有する絶縁スイッチハウジングと、
前記絶縁スイッチハウジングの外部に設けられる外部スイッチ導体と、
前記絶縁スイッチハウジングの内部に設けられ、互いに接離可能な第一接触片及び第二接触片と、を有し、
前記同軸コネクタが装着される前は前記内蔵アンテナと信号回路を形成しており、
前記同軸切換スイッチに前記同軸コネクタが装着されると、前記同軸切換スイッチの外部スイッチ導体と前記同軸コネクタの外部コネクタ導体が互いに接触して、両者は着脱可能に常時接続されるとともに、前記絶縁スイッチハウジングの挿通孔を通じて挿入された前記コンタクトの先端が前記第一接触片と接触して、前記第一接触片と前記第二接触片の間の接触を切り離し、前記第一接触片と前記同軸コネクタの間で他の信号回路を形成するように構成されており、
前記絶縁コネクタハウジングの外部に突出した、前記コンタクトの先端及びその近傍は、前記コンタクトの先端と前記第一接触片の接触を通じて、前記同軸切換スイッチと前記同軸コネクタとの装着方向とは反対の方向に弾性変位させられ、
前記無線モジュールを該無線モジュールを設置すべき装置の筐体のいずれかの位置に設置したときに、前記無線モジュールに設けた内蔵アンテナが適当に機能し得ない場合には、前記いずれかの位置に設置した、前記内蔵アンテナに接続された前記同軸切換スイッチに、前記同軸コネクタを装着し、前記同軸コネクタに接続された前記同軸ケーブルを利用して、前記同軸ケーブルに接続された前記外部アンテナを、前記外部アンテナが適当に機能し得る前記筐体のいずれかの位置に配置する、ことを特徴とする方法。
【発明の詳細な説明】
【技術分野】
【０００１】
本願発明は、無線モジュールを用いたアンテナ設置方法、及び、これに用いる同軸コネクタに関する。
【背景技術】
【０００２】
内蔵アンテナを設備する無線モジュールを、当該無線モジュールを設置すべき装置の筐体内部の一の位置に設置した場合に、当該一の位置において、内蔵アンテナが所望とするアンテナ特性を発揮し得るのであれば、何らの問題も生じない。この場合、製品コストが比較的高く、また、設計工数の多い、外部アンテナは不要であるため、結果として、製品コストは安価となり、また、設計工数は減少する。
【０００３】
一方、内蔵アンテナを設備する無線モジュールを使用することができない場合、換言すれば、内蔵アンテナを設備する無線モジュールを筐体内部の当該一の位置に設置した場合に、当該一の位置においては、内蔵アンテナが所望とするアンテナ特性を発揮し得ず、また、内蔵アンテナが所望とするアンテナ特性を発揮し得るような位置に無線モジュールを設置することができないか、或いは、そのような位置に無線モジュールを設置することが困難な状況においては、筐体内の外部アンテナを利用する無線モジュールを設置する必要がある。
【０００４】
内蔵アンテナを設備する無線モジュールを使用すべきか、外部アンテナを利用する無線モジュールを使用すべきかが、予め明らかであるような状況においては、何らの問題も生じない。しかしながら、いずれの無線モジュールを使用すべきか予め明らかでない場合には、念のため、外部アンテナを利用する無線モジュールを準備せざるを得ない。
【０００５】
しかしながら、外部アンテナを利用する無線モジュールを準備していたにもかかわらず、内蔵アンテナを設備する無線モジュールも使用可能であることが判明した場合には、高価且つ設計工数の多い外部アンテナを無駄に使用することとなり、コスト高となり、また、作業効率が低下する。
【先行技術文献】
【特許文献】
【０００６】
【特許文献１】特開２００３−１２３９１５号
【発明の概要】
【発明が解決しようとする課題】
【０００７】
本願発明はこのような従来技術における問題点を解決するためになされたものであり、内蔵アンテナを設備する無線モジュールを使用すべきか、外部アンテナを利用する無線モジュールを使用すべきかが、予め明らかでない場合にも、使用状況に応じて内蔵アンテナ又は外部アンテナの一方を選択し、自由に切換を行うことができるアンテナを用いた、アンテナ設置方法を提供することを目的とする。また、本願発明は、上記の方法に用いる同軸コネクタを提供することを目的とする。
【０００８】
本願発明の同軸コネクタは、従来の同軸切換スイッチと対で使用され、該従来の同軸切換スイッチは、携帯電話機などの携帯通信機器において、高周波回路の検査用として広く一般に使用されている。図１３に、この従来の同軸切換スイッチの一例を示す。ここに示した同軸切換スイッチ１２１は、本願出願人自身による特開２００１−１７６６１２号公報に開示されているものと同様のものである。
【０００９】
同軸切換スイッチ１２１の内部には、絶縁ハウジング１２２に設置された、互いに接離可能な固定端子１２４と可動端子１２５が含まれる。これらの端子間の接触は、同軸コネクタ１２６の絶縁ハウジング１２７によって支持された中心導体１２９を、絶縁ハウジング１２２に穿設された挿通孔１３５を通じて下方に移動させることにより、固定端子１２４はそのまま、可動端子１２５のみを一点鎖線で示す位置に移動させることによって切り離される。
【００１０】
このように可動端子１２５と固定端子１２４の接触を切り離すことによって、同軸コネクタ１２６の中心導体１２９は可動端子１２５とのみ接触した状態とされ、この結果、可動端子１２５と固定端子１２４の間の信号回路を、可動端子１２５と中心導体１２９の間の他の信号回路に切換えることができる。尚、このような切換操作は、従来、携帯電話等の高周波回路を搭載した機器の高周波性能を検査するために使用されてきたものである。
【００１１】
従来、この同軸切換スイッチ１２１は、検査のためにのみ用いられ、検査のためにのみ有用とされてきたが、それが使用されるのは、製品製造後の機器の検査時のみであって、通常は１度きりしか使用されず、有効に利用されているものではなかった。また、同軸コネクタ１２６の外部導体１２８は、嵌合可能なその下端部１３３を、同軸切換スイッチ１２１の環状溝１３２に係止させることができるようになっているだけであり、更に、同軸コネクタ１２６は嵌合方向に延びていることから、構造上、同軸コネクタ１２６と同軸切換スイッチ１２１を常時接続するのに適したものとはなっていなかった。
【００１２】
本願発明では、上記の方法に用いる同軸コネクタを提供するため、同軸切換スイッチ１２１との常時接続を可能とし、同軸切換スイッチ１２１の有効利用を図ることができる同軸コネクタを提供することをも目的とする。
【課題を解決するための手段】
【００１３】
本願発明は、同軸切換スイッチに装着され得る同軸コネクタにおいて、前記同軸コネクタは、ライトアングル型のコネクタであって、絶縁コネクタハウジングと、前記絶縁コネクタハウジングの外部に設けられ、同軸ケーブルの外側導体に接続可能な外部コネクタ導体と、前記絶縁コネクタハウジングに可動状態で設けられ、前記同軸ケーブルの中心導体に接続可能なコンタクトと、を有し、前記コンタクトは略Ｌ字状であって、前記コンタクトの先端を含む第一部分と、前記第一部分に折曲部を介して接続され且つ前記第一部分に対して略直角方向に延びる第二部分とを含み、前記コンタクトは、該コンタクトの第二部分において前記絶縁コネクタハウジングの設置部に載置され、且つ、前記コンタクトの第二部分における前記同軸ケーブルの接続側で片持ち梁状に支持されており、前記コンタクトの先端は、前記同軸切換スイッチとの接触を通じて、前記同軸切換スイッチと前記同軸コネクタとの装着方向とは反対の方向に弾性変位され得ることを特徴としている。
【００１４】
上記同軸コネクタにおいて、前記コンタクトの先端と前記同軸切換スイッチの接触を通じて前記コンタクトの先端及びその近傍が前記同軸コネクタの内部に収容される際、前記コンタクトの第一部分は、前記装着方向とは反対の方向において前記絶縁コネクタハウジングの内部に押し込まれ、前記押し込まれた前記コンタクトの第二部分が前記絶縁コネクタハウジングと衝突することを防ぐため、前記絶縁コネクタハウジングの内部に空間が設けられていてもよい。
また、上記同軸コネクタにおいて、前記空間は、前記絶縁コネクタハウジングの壁の一部に薄肉部を設けることによって形成されていてもよい。
更に、上記同軸コネクタにおいて、前記絶縁コネクタハウジングは、前記コンタクトが設置される本体と、前記本体によって根元側を片側支持され、先端側を前記本体に向かって折り曲げることによって前記本体に設置された前記コンタクトの第二部分を覆う折曲部と、を有していてもよい。
【００１５】
更に、上記同軸コネクタにおいて、前記同軸ケーブルの中心導体は、前記本体に設置された前記コンタクトの第二部分と、前記折曲部と、の間で圧接されてもよい。
【００１６】
更にまた、上記同軸コネクタにおいて、前記同軸ケーブルの中心導体は、前記コンタクトの第二部分のうち、前記同軸ケーブルの設置方向に対して交差する方向において幅広に形成された幅広部に設置されてもよい。
【００１７】
更に、上記同軸コネクタにおいて、前記幅広部を覆う前記外部コネクタ導体は、前記交差する方向において、切り欠かれていてもよい。
【００１８】
更に、上記同軸コネクタにおいて、前記薄肉部と、前記薄肉部よりも厚い中肉部との間に、傾斜、若しくは、段差が設けられていてもよい。
【００１９】
また、上記同軸コネクタにおいて、前記同軸ケーブルの中心導体は、前記折曲部の一部に設けられ、前記幅広部よりも狭く、且つ、前記幅広部との間で前記同軸ケーブルの中心導体を圧接する厚肉部よりも薄い部分によって、外部コネクタ導体と区分けられてもよい。
【００２０】
更にまた、上記同軸コネクタにおいて、前記コンタクトの先端は、前記同軸切換スイッチとの接触時に前記同軸切換スイッチをワイピングする機能を有していてもよい。
【００２１】
また、本発明は、同軸切換スイッチに装着され得る同軸コネクタにおいて、前記同軸コネクタは、ライトアングル型のコネクタであって、絶縁コネクタハウジングと、前記絶縁コネクタハウジングの外部に設けられた外部コネクタ導体と、前記絶縁コネクタハウジングに可動状態で設けられたコンタクトと、を有し、前記絶縁コネクタハウジングは、前記コンタクトが設置される本体と、前記本体によって根元側を片側支持され、先端側を前記本体に向かって折り曲げられることによって前記本体に設置された前記コンタクトの第二部分を覆うことができる折曲部と、を有し、該折曲部は根元側に薄肉部を設け、先端側に厚肉部を設け、前記外部コネクタ導体は、前記折曲部に向かって折り曲げられることによって前記折曲部の外部を覆うことができる外側折曲部を有し、前記コンタクトは略Ｌ字状であって、前記コンタクトの先端を含む第一部分と、前記第一部分に折曲部を介して接続され且つ前記第一部分に対して略直角方向に延びる第二部分とを含み、前記コンタクトは、該コンタクトの第二部分において前記絶縁コネクタハウジングの設置部に載置され、且つ、前記コンタクトの第二部分の端部付近で片持ち梁状に支持されており、前記コンタクトの先端は、前記同軸切換スイッチとの接触時に、該接触を通じて、前記同軸切換スイッチと前記同軸コネクタとの装着方向とは反対の方向に弾性変位され得ることを特徴としている。
【００２２】
更に、本発明は、内蔵アンテナを有する無線モジュールを用いたアンテナ設置方法において、前記無線モジュールは、同軸ケーブルを介して外部アンテナと接続可能であって、前記同軸ケーブルと前記外部アンテナの接続は、同軸コネクタと同軸切換スイッチを用いて行われるものであり、前記同軸コネクタは、ライトアングル型のコネクタであって、絶縁コネクタハウジングと、前記絶縁コネクタハウジングの外部に設けられ、前記同軸ケーブルの外側導体に接続可能な外部コネクタ導体と、前記絶縁コネクタハウジングに可動状態で設けられ、前記同軸ケーブルの中心導体に接続可能なコンタクトと、を有し、前記コンタクトの先端及びその近傍は、前記同軸切換スイッチに前記同軸コネクタが装着される前は、前記絶縁コネクタハウジングの外部に突出した状態とされており、前記同軸切換スイッチは、前記同軸コネクタのコンタクトを受け入れることができる挿通孔を有する絶縁スイッチハウジングと、前記絶縁スイッチハウジングの外部に設けられる外部スイッチ導体と、前記絶縁スイッチハウジングの内部に設けられ、互いに接離可能な第一接触片及び第二接触片と、を有し、前記同軸コネクタが装着される前は前記内蔵アンテナと信号回路を形成しており、前記同軸切換スイッチに前記同軸コネクタが装着されると、前記同軸切換スイッチの外部スイッチ導体と前記同軸コネクタの外部コネクタ導体が互いに接触して、両者は着脱可能に常時接続されるとともに、前記絶縁スイッチハウジングの挿通孔を通じて挿入された前記コンタクトの先端が前記第一接触片と接触して、前記第一接触片と前記第二接触片の間の接触を切り離し、前記第一接触片と前記同軸コネクタの間で他の信号回路を形成するように構成されており、前記絶縁コネクタハウジングの外部に突出した、前記コンタクトの先端及びその近傍は、前記コンタクトの先端と前記第一接触片の接触を通じて、前記同軸切換スイッチと前記同軸コネクタとの装着方向とは反対の方向に弾性変位させられ、前記無線モジュールを該無線モジュールを設置すべき装置の筐体のいずれかの位置に設置したときに、前記無線モジュールに設けた内蔵アンテナが適当に機能し得ない場合には、前記いずれかの位置に設置した、前記内蔵アンテナに接続された前記同軸切換スイッチに、前記同軸コネクタを装着し、前記同軸コネクタに接続された前記同軸ケーブルを利用して、前記同軸ケーブルに接続された前記外部アンテナを、前記外部アンテナが適当に機能し得る前記筐体のいずれかの位置に配置する、ことを特徴としている。
【発明の効果】
【００２３】
本願発明によれば、使用状況に応じて、無線モジュールの内蔵アンテナ若しくは外部アンテナの一方の選択、若しくは、切換が可能な、アンテナを用いた、アンテナ設置方法が提供される。
また、本願発明によれば、このようなアンテナ設置方法に用いることができる同軸コネクが提供される。
【図面の簡単な説明】
【００２４】
【図１】本願発明の方法を説明する斜視図である。
【図２】本願発明の方法を説明する斜視図である。
【図３】本願発明の同軸コネクタの組立後の縦断面を示す図である。
【図４】図３に示す同軸コネクタとともに同軸切換スイッチを示す断面図である。
【図５】同軸切換スイッチに同軸コネクタが装着された後の状態を示す断面図である。
【図６】同軸コネクタに正に同軸ケーブルを取り付けようとしている状態を示す斜視図である。
【図７】図６の一部部分拡大図である。
【図８】図６の状態にある同軸コネクタの平面図である。
【図９】図８のＡ−Ａ線断面図である。
【図１０】コンタクトの個品図である。
【図１１】同軸ケーブルをコンタクトの水平部分に配置した直後の状態を示す図である。
【図１２】同軸コネクタを折曲部と水平部分の間に圧接した直後の状態を示す図である。
【図１３】従来の同軸切換スイッチの一例を示す図である。
【発明を実施するための形態】
【００２５】
図１、図２を参照して、本願発明によるアンテナ設置方法について説明する。図１は、内蔵アンテナ９３を設備する無線モジュール９０を、該無線モジュール９０を設置すべき装置における筐体９５内部の一の位置に設置した状態を示す斜視図である。尚、この一の位置では、内蔵アンテナ９３は所望とするアンテナ特性を発揮し得るもの、換言すれば、内蔵アンテナ９３は適当に機能し得るもの、と仮定する。
【００２６】
一方、図２の（ａ）の斜視図は図１に類似するが、ここでは、内蔵アンテナ９３を設備する無線モジュール９０は上記一の位置とは異なる位置に設置されている。尚、この異なる位置では、内蔵アンテナ９３は所望とするアンテナ特性を発揮し得ないもの、換言すれば、内蔵アンテナ９３は適当に機能し得ないもの、と仮定する。
【００２７】
無線モジュール９０を設置すべき装置の大きさや形状、或いは、設置すべき他のモジュールとの関係等、何らかの事情によって、無線モジュール９０を、例えば、図１に示すような内蔵アンテナ９３が適当に機能し得る位置ではなく、図２の（ａ）に示すような内蔵アンテナ９３が適当に機能し得ない位置に設置しなければならないことがある。後者の場合、アンテナ特性を確保するため、内蔵アンテナ９３ではなく、例えば、図２の（ｂ）に示す外部アンテナ９１等を使用する必要がある。
【００２８】
外部アンテナ９１は、同軸ケーブル１５を介して、無線モジュール９０に接続することによって初めて使用可能となる。更に言えば、無線モジュール９０と外部アンテナ９１の間に可撓性の同軸ケーブル１５を接続することにより、外部アンテナ９１を、筐体９５内部のいずれかの適当な位置に設置することによって、所望のアンテナ特性を確保できる。尚、この場合は、従来装置と同様に、外部アンテナ９１が無線モジュール９０に接続される前は、内蔵アンテナ９３はＯＮ状態にあるが、それらが接続された後は、信号回路が自動的に切換えられて、内蔵アンテナはＯＦＦ状態となり、これに代わり、外部アンテナ９１がＯＮ状態になるものとする。
【００２９】
ここで、同軸ケーブル１５と無線モジュール９０の間の接続は、同軸ケーブル１５側に設けた同軸コネクタ１２と、無線モジュール９０側に設けた同軸切換スイッチ（スイッチ付き同軸コネクタ）１０を利用して行われる。特に、同軸切換スイッチ１０については、図１３を参照して上に説明した、高周波回路の検査用として広く一般に使用されてきた従来の同軸切換スイッチ１０をそのまま使用することができる。更に詳細には、本願発明では、検査のためだけに使用されてきた同軸切換スイッチ１０を、本願発明の同軸コネクタ１２と着脱自在に常時接続させることによって、検査のためだけでなく、無線モジュール９０と同軸ケーブル１５とを接続するためのコネクタとして、更に言えば、無線モジュール９０と、同軸ケーブル１５に接続された外部アンテナ９１との電気的接続のために、使用することができる。このように、同軸切換スイッチ１０を、コネクタとして併用することにより、別途にコネクタを設けることが不要となり、同軸切換スイッチ１０の有効利用を図ることができる。また、当初は内蔵アンテナ９３を使用するつもりであったが、諸般の事情によって内蔵アンテナ９３において所望の利得が得られなかった場合であっても、無線モジュール９０の回路設計はそのままとして、内蔵アンテナ９３を外部アンテナ９１に容易に切換えることができる、つまり、本願発明によれば、内蔵アンテナ９３を利用する方式と外部アンテナ９１を利用する方式、これら２つの方式に関して、同じ設計の無線モジュール９０を用いることができる。以上の構成により、本願発明では、内蔵アンテナ９３に接続された同軸切換スイッチ１０に同軸コネクタ１２を装着し、更に、同軸コネクタ１２に接続された同軸ケーブル１５を利用して、同軸ケーブル１５に接続された外部アンテナ９１を、当該外部アンテナ９１が適当に機能し得る筐体のいずれかの位置に配置して、常に、アンテナ特性を確保することができる。
【００３０】
次いで、上記の方法に用いる同軸コネクタ１２の構造を説明する。図３は、この同軸コネクタ１２の組立後の縦断面を示す図、図４は、図３に示す同軸コネクタ１２とともに同軸切換スイッチ１０を示す断面図、図５は、同軸切換スイッチ１０に同軸コネクタ１２が装着された後の状態を示す断面図である。尚、図３乃至図５は、既に同軸ケーブル１５を取り付けた後の状態を示しているが、これに対し、図６乃至図９は、同軸ケーブル１５を取り付ける前の、組立途中にある同軸コネクタ１２を示している。ここで、図６は、同軸コネクタ１２に正に同軸ケーブル１５を取り付けようとしている状態を示す斜視図、図７は、図６の一部部分拡大図、図８は、図６の状態にある同軸コネクタ１２の平面図、図９は、図８のＡ−Ａ線断面図である。
【００３１】
図４、図５にのみ示した同軸切換スイッチ１０の構造及び機能は、図１３を参照して既に説明した従来一般の同軸切換スイッチと同様である。この同軸切換スイッチ１０は、主な構成部品として、同軸コネクタ１２のコンタクト７０を受け入れることができる挿通孔８７が穿設された絶縁スイッチハウジング８２、絶縁スイッチハウジング８２の外部に設けられる外部スイッチ導体８３、更に、絶縁スイッチハウジング８２の内部に設けられ、互いに接離可能な弾性片８５及び固定片８６を含む。
【００３２】
同軸切換スイッチ１０との常時接続を容易に若しくは可能にするため、本願発明の同軸コネクタ１２は、図１３に示した垂直方向にのみ延びる従来の同軸コネクタ１２６とは異なり、いわゆるライトアングル（直交）型のコネクタとして形成されている。このような型とすることによって、同軸コネクタ１２の低背化を図ることもできる。同軸切換スイッチ１０は、主な構成部品として、絶縁コネクタハウジング２０、絶縁コネクタハウジング２０の外部に設けられる外部コネクタ導体５０、更に、絶縁コネクタハウジング２０に可動状態で設けられるコンタクト７０を含む。更に、この同軸コネクタ１２は、同軸切換スイッチ１０と組み合わせて用いられることにより、１組の同軸装置１（図４、図５参照）を形成し得る。
【００３３】
明確化のため、図１０に、コンタクト７０の個品図を示す。コンタクト７０は、側方から見て略Ｌ字の板状体であって、主な構成部品として、垂直部分７４と、この垂直部分７４に折曲部７６を介して接続され且つ垂直部分７４に対して略直角に延びる水平部分７２を含む。垂直部分７４は、更に、挿通孔８７を通じて同軸切換スイッチ１０に挿入される先端７４’を含む。尚、垂直部分７４は、水平部分７２と異なり、絶縁コネクタハウジング２０に対して固定されておらず、また、その板面中央付近は、外側に向かって打ち出されており、これによって強度の向上が図られている。
【００３４】
水平部分７２は、同軸ケーブル１５の設置方向における一部に、この設置方向に対して交差する方向において幅広に形成された幅広部７２Ａを有する。幅広部７２Ａは絶縁コネクタハウジング２０に固定され、この結果、コンタクト７０は、全体として片持ち梁状に支持される。水平部分７２における同軸ケーブル１５の接続側、即ち、水平部分７２の端部付近で片持ち梁状に支持、固定することにより、固定部である水平部分７２から可動部である垂直部分７４の先端７４’までの距離、つまり、バネ長を得ることができ、絶縁コネクタハウジング２０に収容される際のコンタクト７０の可動性を高めることができる。
【００３５】
絶縁コネクタハウジング２０は、略直方形状の本体４０と、この本体４０に対して折曲可能とされた厚肉部２４を有する折曲部２２を含む。尚、厚肉部２４の表面は、幅方向、即ち、同軸ケーブル１５の設置方向に対して交差する方向において、曲線を帯びた凹面として形成されているのが好ましい。折曲部２２は、本体４０によって根元側を片側支持され、ハンマー形状の先端側を本体４０に向かって折り曲げることによって、本体４０に予め設置したコンタクト７０や同軸ケーブル１５を押圧して固定するようになっている。
【００３６】
折曲部２２を支持している本体４０の一方の側に、コンタクト７０の垂直部分７４を貫通させる貫通孔４１が垂直方向に、且つ、コンタクト７０の固定部分の逆側に大きく設けられている。また、本体４０の上部に、コンタクト７０の水平部分７２を設置することができる水平設置面４６が設けられている。水平設置面４６にコンタクト７０を設置することにより、水平方向においてもコンタクト７０の位置を正確に支持することができる。特に図示しないが、コンタクト７０の垂直部分７４と接し得る、水平設置面４６と同様の垂直設置面を本体４０に設けて、コンタクト７０の垂直方向における位置を安定させることもできる。このような支持面を設けることによって、コンタクト７０の無負荷時に、コンタクト７０の底側や側面を、確実に位置決めすることができる。尚、本体４０には、コンタクト７０を固定するため等に利用されるテーパー４３が設けられていてもよい。
【００３７】
外部コネクタ導体５０は、同軸切換スイッチ１０に嵌めこまれる円筒部５８と、繋部５３を介して円筒部５８と連結された外側折曲部５９を含む。外側折曲部５９は、絶縁コネクタハウジング２０の折曲部２２の外部を覆う部分であって、ケーブル圧着部５５、絶縁体圧着部５６、及び蓋部５７を更に含む。これらの働きについては更に後述する。
【００３８】
次に、図３乃至図５、及び図９等を参照して、同軸切換スイッチ１０に同軸コネクタ１２を装着する際の動作を説明する。図３、図４、図９等から明らかなように、コンタクト７０の先端７４’及びその近傍は、同軸切換スイッチ１０に同軸コネクタ１２が装着される前の状態にあっては、絶縁コネクタハウジング２０の外部に大きく突出した状態にある。
【００３９】
これに対し、同軸切換スイッチ１０に同軸コネクタ１２が装着されると、図５に示すように、突出部は、コンタクト７０の先端７４’と弾性片８５との接触を通じて、同軸切換スイッチ１０と同軸コネクタ１２との装着方向（図４、５に示す矢印「ア」方向）とは反対の方向（図４、５に示す矢印「イ」方向）に弾性変位して、同軸コネクタ１２の内部にコンタクト７０の一部が収容される、換言すれば、コンタクト７０の垂直部分７４は、同軸切換スイッチ１０と同軸コネクタ１２が装着される装着方向、或いは、コンタクト７０の先端７４’が挿通孔８７を通じて挿入される挿入方向とは反対の方向において、絶縁コネクタハウジング２０の内部に押し込まれる。押し込まれたコンタクト７０の水平部分７２と絶縁コネクタハウジング２０が衝突するのを防ぐため、絶縁コネクタハウジング２０の内部に空間２７が設けられている。空間２７は、例えば、絶縁コネクタハウジング２０の壁の一部に挿入方向に沿って薄くなるように設定した薄肉部２８を設けることによって形成されてもよい。押し込まれたコンタクト７０の水平部分７２と絶縁コネクタハウジング２０は、絶縁コネクタハウジング２０と衝突することなく、この空間２７の範囲で変位し得る。尚、この種の従来のコネクタでは、水平部分７２を平らに形成して、コンタクトの全面を押え付ける構造が採用されていたが、本願発明では、コンタクト７０の可変領域となり得る空間を設けることにより、嵌合時にコンタクトが移動することを許容している。これによって、コンタクト７０等の応力を逃し、座屈を防止して、部品の破壊を防止することができる。
【００４０】
同軸切換スイッチ１０に同軸コネクタ１２が装着されたときは、更に、同軸切換スイッチ１０の外部スイッチ導体８３と同軸コネクタ１２の外部コネクタ導体５０が互いに接触して係合し、両者は着脱可能に常時接続される。このような常時接続を可能とするため、同軸コネクタ１２側には弾性作用を有する環状突出部５４が、これに対応して、同軸切換スイッチ１０側には環状溝８４が、それぞれ設けられている。更に、この装着時には、絶縁スイッチハウジング８２の挿通孔８７を通じて挿入されたコンタクト７０の先端７４’が弾性片８５と接触し、弾性片８５と固定片８６の間の接触を垂直方向に切り離して、固定片８６との接触が解除され、弾性片８５と同軸コネクタ１２の間でのみ信号回路が形成される。この切換によって、内蔵アンテナと外部アンテナを使い分けることができる。また、コンタクト７０の先端７４’と弾性片８５との接触時にコンタクト７０の固定部、即ち、幅広部７２Ａ付近を中心として回動させ、コンタクト７０の先端７４’を弾性片８５に対して摺動させることとすれば、この摺動を利用して弾性片８５から埃を除去することができる、つまり、この接触によってワイピング機能を発揮させることもできる。
【００４１】
次いで、図１１、１２をも参照して、同軸コネクタ１２の組立工程を説明する。図１１、１２は、図６に対応する図であって、図１１は、特に、同軸ケーブル１５をコンタクト７０の水平部分７２に配置した直後の状態を、図１２は、特に、折曲部２２の先端側を折目２３に沿って折り曲げることによって、水平部分７２に配置した同軸ケーブル１５を折曲部２２と水平部分７２の間に圧接した直後の状態を、それぞれ示す。
【００４２】
図１２に示すように、折曲部２２の先端側が本体４０に向かって折り曲げられたとき、折曲部２２とコンタクト７０の水平部分７２の間で、同軸ケーブル１５が押圧されて、同軸ケーブル１５がコンタクト７０に圧着されるとともに、コンタクト７０自体も絶縁コネクタハウジング２０に対して押圧される。このとき、コンタクト７０の水平部分７２には、同軸ケーブル１５のうち、拠り線を含む最も先端の中心導体１９と、この中心導体１９の近傍、即ち、絶縁体１８が配置される。
【００４３】
折曲部２２とコンタクト７０の水平部分７２の間で同軸ケーブル１５を押圧する際、同軸ケーブル１５は、折曲部２２の一部に設けた挿入方向に沿って厚くなるように設定したハンマー形状の厚肉部２４と、水平部分７２の幅広部７２Ａと、の間で圧接される。これら厚肉部２４と幅広部７２Ａの間には、同軸ケーブル１５の中、主として中心導体１９が配置される。ハンマー形状の厚肉部２４を利用することによって、他の部分に比して比較的厚みの少ない中心導体１９であってもより確実に圧接することができ、また、幅広部７２Ａを利用することによって、拠り線として形成された中心導体１９が、圧接によって拠りを解かれて外部に広がった場合でも、その広がりを幅広部７２Ａによって抑制して、中心導体１９と外部コネクタ導体５０の側面等とのショートの危険を減らすことができる。更に、厚肉部２４の表面が、曲線を帯びた凹面として形成されている場合には、中心導体１９の位置規制をより簡単に且つ確実に行うことができる。尚、外部に広がった拠り線をより噛み合わせ易くするため、例えば、幅広部７２Ａの一部を下方に打ち出してビートを設けてもよい。本実施形態では、一例として、３つの並行なビートを設けている。また、外部に広がった拠り線と、外部コネクタ導体５０の側面と、のショート（接触）を防ぐため、幅広部７２Ａを覆う外部コネクタ導体５０の一部５２を、同軸ケーブル１５の設置方向に対して交差する方向において切り欠いてもよい。
【００４４】
本願では、更に、薄肉部２８よりは厚く、厚肉部２４よりは薄く、設定した中肉部２６も設けられている。このような中肉部２６を設けたことにより、薄肉部２８の強度を増して折曲部２２の破壊を防止することができる。中肉部２６と薄肉部２８の間は、挿入方向において図３乃至５、図９等に示すような傾斜部２９としてもよいし、段差（図示していない）としてもよい。
【００４５】
更に、同軸ケーブル１５の中心導体１９の近傍、特に、絶縁体１８の後端側には、折曲部２２の一部に、同軸ケーブル１５の設置方向に対して交差する方向において幅広部７２Ａよりも狭く且つ挿入方向に沿って厚肉部２４よりも薄く設定した部分３０が設けられている。部分３０は、厚肉部２４よりも薄く設定することにより、同軸ケーブル１５を厚肉部２４と同様に強く押え付けずに、外部コネクタ導体５０と中心導体１９との間を絶縁することができるようになっており、また、この部分３０によって、同軸ケーブル１５の中心導体１９は、外部コネクタ導体５０と区分けられている。
【００４６】
図１２の状態とされた後に、或いはそれと同時に、外部コネクタ導体５０の外側折曲部５９は、その繋部５３を利用して、コンタクト７０の第二部分７２を覆っている折曲部２２に向かって折り曲げられることにより、第二部分７２の上部を覆うように折り曲げられる。この結果、円筒部５８の上部は、外部コネクタ導体５０の蓋部５７によって塞がれる。また、外部コネクタ導体５０のケーブル圧着部５５は、その後、同軸ケーブル１５の外被１６と外側導体１７の周囲を取り囲むように、また、絶縁体圧着部５６は、その後、絶縁コネクタハウジング２０の周囲を取り囲むように、所定位置において圧着される。以上の処理により、同軸ケーブル１５の外側導体１７は、外部コネクタ導体５０に電気的、物理的に接続され、また、同軸ケーブル１５の中心導体１９は、コンタクト７０に電気的、物理的に接続される。更に、同軸ケーブル１５の中心導体１９及びその近傍の絶縁体１８は、本体４０に設置したコンタクト７０の水平部分７２と折曲部２２の間で圧接され、一方、同軸ケーブル１５の中心導体１９は、水平部分７２のうち、同軸ケーブル１５の設置方向に対して交差する方向において幅広に形成された幅広部７２Ａに設置され、この幅広部７２Ａと折曲部２２の間で圧接される。
【００４７】
尚、同軸ケーブル１５は、圧着によって固定するものとしたが、半田付け等、他の手段によって固定してもよい。本願発明では、圧着のみによる固定とすることにより、製品を安価に提供するものとなっている。
【００４８】
最後に、絶縁コネクタハウジング２０に対するコンタクト７０の取付方法について説明する。コンタクト７０は、その幅広部７２Ａを、絶縁コネクタハウジング２０のテーパー４３の下部と水平設置面４６の上部との間に形成した隙間４５（図９に示されている）に設置した状態で固定される。設置の際、幅広部７２Ａは、テーパー４３によって先端４４まで導かれ、先端４４を乗り越えて隙間４５に圧入され、そこに固定される。故に、この固定において、接着剤等の使用は不要である。尚、上の説明のように、水平部分７２の一部である幅広部７２Ａを固定する代わりに、垂直部分７４を、例えば前後方向において支持するようにしてもよい。
【産業上の利用可能性】
【００４９】
本願発明は、内蔵アンテナ若しくは外部アンテナのいずれのアンテナを使用すべきか明らかでない状況においても幅広い使用が可能である。
【符号の説明】
【００５０】
１  同軸装置
１０  同軸切換スイッチ
１２  同軸コネクタ
１５  同軸ケーブル
１７  外側導体
１９  中心導体
２０  絶縁コネクタハウジング
２２  折曲部
２４  厚肉部
２６  中肉部
２７  空間
２８  薄肉部
２９  傾斜部
３０  薄い部分
４０  本体
４５  隙間
５０  外部コネクタ導体
５２  一部
７０  コンタクト
７２  水平部分（第二部分）
７２Ａ  幅広部分
７４  垂直部分（第一部分）
７４’  先端
８２  絶縁スイッチハウジング
９０  無線モジュール
９１  外部アンテナ
９３  内蔵アンテナ
９５  筐体
【図１】
2011119174.tif 000003
【図２】
2011119174.tif 000004
【図３】
2011119174.tif 000005
【図４】
2011119174.tif 000006
【図５】
2011119174.tif 000007
【図６】
2011119174.tif 000008
【図７】
2011119174.tif 000009
【図８】
2011119174.tif 000010
【図９】
2011119174.tif 000011
【図１０】
2011119174.tif 000012
【図１１】
2011119174.tif 000013
【図１２】
2011119174.tif 000014
【図１３】
2011119174.tif 000015